(57)【特許請求の範囲】
【請求項１】
複数のパネルと、各パネルの上下方向又は左右方向中間部にパネルの長手方向全長に亘って設けたパネル保持部材とを備え、パネル保持部材はパネルの一側面と他側面からパネルを挟持していると共にパネル保持部材の長手方向両端は、パネル保持部材の両端に配置しているパネル保持部材固定材に固定してあることを特徴とする壁面体。
【請求項２】
パネル保持部材は、パネルの一側面に設けた桟と、パネルの他側面に設けたパネル押え材とを備え、パネル押え材と桟とでパネルを挟持していることを特徴とする請求項１に記載の壁面体。
【請求項３】
パネルとパネル保持部材とからなるパネルユニットを見付け方向に隣り合わせで複数備え、隣り合うパネルユニットのパネル端部が互いに見込み方向に間隔をあけて重合していることを特徴とする請求項１又は２に記載の壁面体。
【請求項４】
各々がパネル保持部材を備える複数のパネルを上桟と下桟と左右の竪桟とで囲んで枠組したパネル体と、左右の縦材とを備え、左右の縦材間に複数のパネル体を積み上げていることを特徴とする請求項１〜３のいずれか一項に記載の壁面体。
【発明の詳細な説明】
【技術分野】
【０００１】
本発明は、フェンス、屋外に設置される間仕切り、ルーバやガラリ等の壁面体に関する。
【背景技術】
【０００２】
特許文献１には、パネルの上端に上桟を取付け、そのパネルの下端に下桟を取付けてパネルを保持した壁面体が開示されている。
【先行技術文献】
【特許文献】
【０００３】
【特許文献１】特開２００７−１６２２５９号公報
【発明の概要】
【発明が解決しようとする課題】
【０００４】
しかし、パネルに上桟や下桟を取付けるとその分パネルの採光面積が小さくなったり、通風の邪魔になり効率的な通風を得られ難いという問題がある。
また、パネルに上桟や下桟を取付ける場合には、各桟との嵌合部を形成する必要がある為、特に大型のパネルの場合には、例えば、押出形材で嵌合部を一体に製造したパネルに限られるからパネルの材質に制限を受けるという問題がある。
【０００５】
そこで、本発明は、大型のパネルでも材質の制限を受け難く且つ強固に保持でき、採光面積を小さくしたり通風効率を損なうことを防止できる壁面体の提供を目的とする。
【課題を解決するための手段】
【０００６】
請求項１に記載の発明は、複数のパネルと、各パネルの上下方向又は左右方向中間部にパネルの長手方向全長に亘って設けたパネル保持部材とを備え、パネル保持部材はパネルの一側面と他側面からパネルを挟持していると共にパネル保持部材の長手方向両端は、パネル保持部材の両端に配置しているパネル保持部材固定材に固定してあることを特徴とする。
【０００７】
請求項２に記載の発明は、請求項１に記載の発明において、パネル保持部材は、パネルの一側面に設けた桟と、パネルの他側面に設けたパネル押え材とを備え、パネル押え材と桟とでパネルを挟持していることを特徴とする。
【０００８】
請求項３に記載の発明は、請求項１又は２に記載の発明において、パネルとパネル保持部材とからなるパネルユニットを見付け方向に隣り合わせで複数備え、隣り合うパネルユニットのパネル端部が互いに見込み方向に間隔をあけて重合していることを特徴とする。
【０００９】
請求項４に記載の発明は、請求項１〜３のいずれか一項に記載の発明において、各々がパネル保持部材を備える複数のパネルを上桟と下桟と左右の竪桟とで囲んで枠組したパネル体と、左右の縦材とを備え、左右の縦材間に複数のパネル体を積み上げていることを特徴とする。
【発明の効果】
【００１０】
請求項１に記載の発明によれば、パネルは上下方向又は左右方向の中間部に設けたパネル保持部材で保持しているので、従来、パネルの端に取付けてパネルを保持していた上桟や下桟等が不要であるから、上桟や下桟による採光面積の減少や、通風の邪魔になって通風効率を損なうことを防止できると共にパネルに上桟や下桟との嵌合部を設ける必要がないので、大型のパネルでも材質の制限を受け難い。
パネル保持部材は、パネルの上下方向又は左右方向の中間部でパネルを保持しているので、大型のパネルを用いた場合でもパネルの撓みを防止し且つ強固にパネルを保持することができる。
【００１１】
請求項２に記載の発明によれば、請求項１に記載の作用効果を奏すると共に、桟とパネル押え材とでパネルを挟持しているので、パネルを強固に保持することができる。
【００１２】
請求項３に記載の発明によれば、請求項１又は２に記載の作用効果を奏すると共に、パネル端部が互いに見込み方向に間隔をあけて重合しているので、採風しつつ見通しを遮って目隠しをすることができる。
【００１３】
請求項４に記載の発明によれば、請求項１〜３のいずれか一項に記載の作用効果を奏すると共に、左右の縦材間にパネル体を積み上げて壁面体を施工できるので、壁面体の施工が容易にできる。
【図面の簡単な説明】
【００１４】
【図１】第１実施の形態を示し、図３のＡ―Ａ断面図である。
【図２】第１実施の形態を示し、図３のＢ―Ｂ断面図である。
【図３】第１実施の形態にかかる壁面体の正面図である。
【図４】第２実施の形態を示し、図５のＣ―Ｃ断面図である。
【図５】第２実施の形態にかかる壁面体の正面図である。
【図６】第３実施の形態を示し、図６のＥ―Ｅ断面図である。
【図７】第３実施の形態にかかる壁面体の正面図である。
【発明を実施するための形態】
【００１５】
以下に、添付図面の図１〜図３を参照して本発明の第１実施の形態を説明する。本実施の形態にかかる壁面体１は、フェンスである。
図３に示すように、壁面体１は、左右の縦材３、３と、複数のパネル体５を備えており、パネル体５は左右の縦材３、３間に積み上げて固定されている。左右の縦材３、３の上端間には横架材７が架設されており、最上にあるパネル体５と横架材７との間に空間９を形成している。縦材３、３は、本実施の形態では、支柱である。
図２に示すように、左右の縦材３、３には、互いに対向する面に各々竪桟補助材１１がねじ固定してある。
【００１６】
図１に示すように、パネル体５は、複数のパネル１７と、各パネル１７を保持するパネル保持部材１５と、上桟１９と、下桟２１と、左右の竪桟１３、１３（図２参照）とを備えており、複数のパネル１７の周囲を上桟１９、下桟２１及び竪桟１３、１３で囲んで枠組してある。
各パネル１７とパネル保持部材１５とでパネルユニット１４を構成しており、パネル体５には複数のパネルユニット１４が見付け方向に隣り合わせに配置されている。
本実施の形態では、１つのパネル体５内には２つのパネルユニット１４が上下に設けてあり、パネル体５内に配置されるパネル１７は上下に合計２枚ある。
パネル１７は、採光パネルであり、光を透過する樹脂材製である。また、本実施の形態では、パネル１７は上下の幅が約３００ｍｍで、左右の長さが１０００ｍｍ〜２０００ｍｍの大型のパネルである。
【００１７】
パネル保持部材１５は、パネル１７の上下方向中間部に設けてあり、パネル１７の一側面に設けた中桟２３と、パネルの他側面に設けたパネル押え材２５とを備えており、パネル押え材２５と中桟２３とでパネル１７を挟持している。本実施の形態では、中桟２３はパネル１７の家側の面に設けてあり、パネル押え材２５はパネルの道路側の面に設けてある。
中桟２３は、パネル１７の当接面を上下に傾斜させており、パネル１７を傾斜させて取付けてある。
中桟２３とパネル押え材２５とはパネル１７を貫通するねじ２９で固定してある。パネル押え材２５の家側面にはカバー２７が嵌合固定されている。
【００１８】
上桟１９には一方側係止部３１と他方側係止部３３とが形成されており、上に位置するパネル体５の下桟２１に形成されている一方側被係止部３５と他方側被係止部３７が係止している。即ち、一方側係止部３１及び一方側被係止部３５と、他方側係止部３３及び他方側被係止部３７が、互いに嵌合により係止してある。
上桟１９の下面には、パネル１７の上端１７ａを受けるパネル受け３９がねじ固定されており、パネル受け３９は家側からパネル１７の上端１７ａに当接している。
尚、最上に位置するパネル体５の上桟１９にはカバー４５が取付けてある。このカバー４５は下桟２１に形成されている一方側被係止部３５と同じ形状の一方側被係止部４１と、下桟２１の他方側被係止部３７と同じ形状の他方側被係止部４３とが形成されており、下桟２１と同様に上桟１９に嵌合固定されている。
パネル体５において、隣り合うパネルユニット１４では、隣り合うパネル１７の対向する端部１７ｃ、１７ｃが互いに見込み方向に間隔をあけて重合している。
【００１９】
下桟２１は、その道路側端部でパネル１７の下端１７ｂを固定してある。これにより、下桟２１の上面は家側が広く取れるから、例えばフラワーボックスや鉢等を載置可能になっている。
尚、最下位置にあるパネル体５の下桟２１は、縦材３、３間に固定された下桟補助材１６に嵌合固定されている。下桟補助材１６には、上桟１９の一方側係止部３１と同じ形状の一方側係止部４９と、上桟１９の他方側係止部３３と同じ形状の他方側係止部５１が設けてあり、最下位置にあるパネル体５の下桟２１がパネル体５の上桟１９に嵌合するのと同様にして下桟補助材１６に嵌合してある。
【００２０】
図２に示すように、パネル体５の左右の竪桟１３は、竪桟補助材１１及び縦材３、３に家側から斜めに止めるねじ１２で固定されている。竪桟１３を固定するねじ１２は目板５２で隠してある。
尚、竪桟１３の道路側は竪桟補助材１１の面部１１ａで覆っている。また、図１に示すように、竪桟１３の上端には、カバー５３が取付けてある。
【００２１】
次に、本実施の形態にかかる壁面体１の施工、作用効果について説明する。
壁面体１の施工は、図２に示すように、左右の縦材３、３の対向面に各々竪桟補助材１１をねじ固定する。また、左右の縦材３、３の下部に下桟補強材１６を固定し、図３に示すように、上端に横架材７を固定する。
そして、左右の縦材３、３間の下部に最下のパネル体５を配置し、その下桟２１を下桟補強材１６に嵌合し、パネル体５の左右の竪桟１３、１３を家側（他方側）から止めるねじ１２で竪桟補助材１１及び縦材３に固定する。
次に、そのパネル体５の上に順次パネル体５を積み上げて固定するが、上パネル体５の積み上げは、上パネル体５の上桟１９を家側に向けてパネル体５を傾斜させ、上パネル体５の下桟２１にある他方側被係止部３７を、下パネル体５の上桟１９の他方側係止部３３に係合して、上パネル体５の上桟１９を道路側に向けて回転させるように上パネル体５を立ち上げることにより、下桟２１の一方側被係止部３５が下パネル体５の上桟１９の一方側係止部３１に係止する。これにより、下パネル体５の上桟１９に上パネル体５の下桟２１を嵌合固定する。そして、図２に示すように、上パネル体５の竪桟１３、１３を家側から止めるねじ１２で竪桟補助材１１及び支柱３に固定する。
このようにしてパネル体５を順次積み上げて最上のパネル体５を、竪桟補助材１１、１１及び縦材３、３に固定した後、竪桟１３の家側に目板５２を嵌め、最上のパネル体５の上桟１９にカバー４５を被せると共に、竪桟１３、１３の上端にもカバー５３を被せる。
【００２２】
本実施の形態によれば、パネル１７は上下方向の中間部に設けたパネル保持部材１５で保持しているので、従来、パネルの端に取付けてパネルを保持していた上桟や下桟等が不要であるから、上桟や下桟による採光面積の減少や、通風の邪魔になって通風効率を損なうことを防止できる。また、パネル１７に上桟や下桟との嵌合部を設ける必要がないので、パネル１７に嵌合部を形成した押出し形材を用いる必要がなく、ガラスパネルも使用できるので、材質の制限を受け難い。
パネル保持部材１５は、パネル１７の上下方向の中間部でパネル１７を保持しているので、大型のパネル１７でもパネルの撓みを防止し且つ強固にパネルを保持することができる。
【００２３】
中桟２３とパネル押え材２５とでパネル１７を挟持しているので、パネル１７を強固に保持することができる。
【００２４】
更に、本実施の形態では、左右の縦材３、３間にパネル体５を積み上げて壁面体１を施工しているので、壁面体の施工が容易にできる。
最上に位置するパネル体５には上桟１９に別体のカバー４５を取付けており、それ以外のパネル体５の上桟１９には上に位置するパネル体５の下桟２１を取付けているので、各パネル体５において、上桟１９の上面の仕上げ品質が要求されなくて済み、パネル体５の製造や搬送がし易い。
縦材３、３間に横架材７を設けることで壁面体１全体の強度を向上させることができる。
縦材３、３間に横架材７を取付けて縦材３、３間の強度を高めた後に、パネル体５を順次取付けているので、施工し易い。
上パネル体５の下桟２１を下パネル体５の上桟１９に回転により嵌合させて取付けているので、縦材３、３間に上からパネル体５を落とし込まなくて済むから最上パネル体５と横架材７との間にほとんど空間がない場合でも容易に施工できる。更に、家側のみから施工ができ、道路側からの作業を不要にできる。
また、最上に位置するパネル体５の上面カバー４５と横架材７との間に空間９を形成することにより、パネル１７、１７間に形成する通風空間に対してより大きな通風空間を確保できる。
パネル５には、パネルユニット１４を見付け方向に隣り合わせで複数設けて、隣り合うパネルユニット１４のパネル１７の端部１７ｃ、１７ｃが互いに見込み方向に間隔をあけて重合しているので採風しつつ見通しを遮って目隠しをすることができる。
【００２５】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図４及び図５を参照して、本発明の第２実施の形態にかかる壁面体１を説明する。この第２実施の形態では、最上のパネル体５と横架材７との間に第１実施の形態のような空間９がなく、最上のパネル体５のカバー４５と横架材７との間にスペーサ５７を介在してある。
【００２６】
この第２実施の形態では、最上のパネル体５のカバー４５と横架材７との間に第１実施の形態における空間９がないので、パネル１７、１７間に形成する通風空間に対してより大きな通風空間を確保できる効果を除いて、第１実施の形態と同様な作用効果を得ることができる。
【００２７】
図６及び図７を参照して、本発明の第３実施の形態にかかる壁面体１を説明する。この第３実施の形態では、各パネル１７の左右方向中間部にパネル保持部材１５を設けており、上下の横材６１、６１間に、パネル保持部材１５で保持したパネル１７を固定してある。
即ち、第３実施の形態では、各パネル１７は左右方向で傾斜しており、パネル１７を固定してある中桟２３を上下の横材６１、６１に固定して、壁面体１を施工している。
【００２８】
この第３実施の形態によれば、パネル１７は左右方向の中間部に設けたパネル保持部材１５で保持しているので、従来、パネルの端に取付けてパネルを保持していた左右竪桟が不要であるから、左右の竪桟による採光面積の減少や、通風の邪魔になって通風効率を損なうことを防止できる。また、パネル１７に左右の竪桟との嵌合部を設ける必要がないので、パネル１７に押出し形材を用いる必要がなく、材質の制限を受け難い。
パネル保持部材１５は、パネル１７の左右方向の中間部でパネル１７を保持しているので、大型のパネル１７でもパネルの撓みを防止し且つ強固にパネルを保持することができる。
中桟２３とパネル押え材２５とでパネル１７を挟持しているので、パネル１７を強固に保持することができる。
【００２９】
本発明は、上述した実施の形態に限らず、本発明の要旨を逸脱しない範囲で種々変形可能である。
例えば、第１及び第２実施の形態において、各パネル１７は上下に傾斜しないで、各面を垂直にしても良いし、第３実施の形態では、各パネル１７は左右に傾斜しないで横材６１に平行にしても良い。
パネル１７は樹脂材に限らず、ガラスや金属材であっても良いし、材質は制限されない。
第１及び第２実施の形態において、壁面体１はパネル体５を面一に施工することに限らず、縦材３にパネル体５を直角に配置したり、縦材３に対して所定の角度を形成するものであっても良い。
第１及び第２実施の形態において、縦材３、３間には、横架材７を架設しないでも良い。
壁面体１は、フェンスに限らず、屋外に設置する間仕切り、窓に取付けるルーバやガラリ等であっても良い。
【符号の説明】
【００３０】
１    壁面体
３    縦材
５    パネル体
１３  竪桟
１５  パネル保持部材
２３  中桟（桟）
１７  パネル
１９  上桟
２１  下桟
２５  パネル押え材
【図１】
0005684010.tif 000002
【図２】
0005684010.tif 000003
【図３】
0005684010.tif 000004
【図４】
0005684010.tif 000005
【図５】
0005684010.tif 000006
【図６】
0005684010.tif 000007
【図７】
0005684010.tif 000008